(57)【要約】【課題】 同報通信および集信通信など、同じ処理を複数の相手に対して繰り返して行うジョブを、ユーザに把握しやすいように表示する。【解決手段】 同報通信・集信通信といった、複数の通信相手に対して同じ処理を繰り返して行うジョブを、１つのジョブとして表示し、同報通信・集信通信の処理が開始されていない場合には、通信相手の数をジョブに付して表示する。ユーザが、詳細な情報を表示させる操作を行った場合に、ジョブを通信相手ごとの複数のジョブとして表示する。【選択図】図３
2006320029.tif 000002
【特許請求の範囲】
【請求項１】
ジョブと前記ジョブの情報とを対応付けて、リストに一覧表示するリスト表示手段
を有するジョブリスト表示装置であって、
前記リスト表示手段は、
複数の第１のジョブからなる第２のジョブを、前記リストにおける１つのジョブとして表示し、
前記第２のジョブに含まれる前記複数の第１のジョブの内の１つ以上のジョブの情報を、前記表示された第２のジョブの情報として、この第２のジョブと対応付けて表示する
ジョブリスト表示装置。
【請求項２】
ジョブと前記ジョブの情報とを対応付けて、リストに一覧表示するリスト表示手段
を有するジョブリスト表示装置であって、
前記リスト表示手段は、
複数の第１のジョブからなる第２のジョブを、前記リストにおける１つのジョブとして表示し、
前記第２のジョブに含まれる前記複数の第１のジョブの内、実行中の第１のジョブの情報を、前記表示された第２のジョブの情報として、この第２のジョブと対応付けて表示する
ジョブリスト表示装置。
【請求項３】
ジョブと前記ジョブの情報とを対応付けて、リストに一覧表示するリスト表示手段
を有するジョブリスト表示装置であって、
前記リスト表示手段は、
複数の第1のジョブからなる第２のジョブに含まれる前記第１のジョブの内、未処理の第１のジョブを１つのジョブとして表示する
ジョブリスト表示装置。
【請求項４】
ジョブと前記ジョブの情報とを対応付けて、リストに一覧表示するリスト表示手段
を有するジョブリスト表示装置であって、
前記リスト表示手段は、
複数の第1のジョブからなる第２のジョブに含まれる前記第１のジョブの内、処理中の第１のジョブを１つのジョブとして表示し、
前記第２のジョブに含まれる前記第１のジョブの内、未処理の第１のジョブを他の１つのジョブとして表示する
ジョブリスト表示装置。
【請求項５】
前記リスト表示手段は、
前記ジョブと対応付けられて表示されるジョブの情報として、ジョブの通信相手に関する情報を表示する
請求項１ないし４のいずれか一項に記載のジョブリスト表示装置。
【請求項６】
前記第２のジョブは、同じ内容の画像を、複数の通信相手それぞれに対して送信する同報通信ジョブであって、
前記第２のジョブに含まれる前記第１のジョブそれぞれは、前記複数の通信相手に対する送信ジョブそれぞれである
請求項１ないし５のいずれか一項に記載のジョブリスト表示装置。
【請求項７】
前記第２のジョブは、複数の通信相手それぞれから画像を受信する集信通信ジョブであって、
前記第２のジョブに含まれる前記第１のジョブそれぞれは、前記複数の通信相手からの受信ジョブそれぞれである
請求項１ないし５のいずれか一項に記載のジョブリスト表示装置。
【請求項８】
ジョブと前記ジョブの情報とを対応付けて、リストに一覧表示するリスト表示ステップ
を、コンピュータに実行させるジョブリスト表示プログラムであって、
前記リスト表示ステップは、
複数の第１のジョブからなる第２のジョブを、前記リストにおける１つのジョブとして表示し、
前記第２のジョブに含まれる前記複数の第１のジョブの内の１つ以上のジョブの情報を、前記表示された第２のジョブの情報として、この第２のジョブと対応付けて表示する
ジョブリスト表示プログラム。
【請求項９】
ジョブと前記ジョブの情報とを対応付けて、リストに一覧表示するリスト表示ステップ
を、コンピュータに実行させるジョブリスト表示プログラムであって、
前記リスト表示ステップは、
複数の第１のジョブからなる第２のジョブを、前記リストにおける１つのジョブとして表示し、
前記第２のジョブに含まれる前記複数の第１のジョブの内、実行中の第１のジョブの情報を、前記表示された第２のジョブの情報として、この第２のジョブと対応付けて表示する
ジョブリスト表示プログラム。
【請求項１０】
ジョブと前記ジョブの情報とを対応付けて、リストに一覧表示するリスト表示ステップ
を、コンピュータに実行させるジョブリスト表示プログラムであって、
前記リスト表示ステップは、
複数の第1のジョブからなる第２のジョブに含まれる前記第１のジョブの内、未処理の第１のジョブを１つのジョブとして表示する
ジョブリスト表示プログラム。
【請求項１１】
ジョブと前記ジョブの情報とを対応付けて、リストに一覧表示するリスト表示ステップ
を、コンピュータに実行させるジョブリスト表示プログラムであって、
前記リスト表示ステップは、
複数の第1のジョブからなる第２のジョブに含まれる前記の第１のジョブの内、処理中の第１のジョブを１つのジョブとして表示し、
前記第２のジョブに含まれる前記第１のジョブの内、未処理の第１のジョブを他の１つのジョブとして表示する
ジョブリスト表示プログラム。
【請求項１２】
前記リスト表示ステップは、
前記ジョブと対応付けられて表示されるジョブの情報として、ジョブの通信相手に関する情報を表示する
請求項８ないし１１のいずれか一項に記載のジョブリスト表示プログラム。
【請求項１３】
前記第２のジョブは、同じ内容の画像を、複数の通信相手それぞれに対して送信する同報通信ジョブであって、
前記第２のジョブに含まれる前記第１のジョブそれぞれは、前記複数の通信相手に対する送信ジョブそれぞれである
請求項８ないし１２のいずれか一項に記載のジョブリスト表示プログラム。
【請求項１４】
前記第２のジョブは、複数の通信相手それぞれから画像を受信する集信通信ジョブであって、
前記第２のジョブに含まれる前記第１のジョブそれぞれは、前記複数の通信相手からの受信ジョブそれぞれである
請求項８ないし１２のいずれか一項に記載のジョブリスト表示プログラム。
【発明の詳細な説明】
【技術分野】
【０００１】
本発明は、同報通信および集信通信などの表示に適したジョブ表示装置およびその方法に関する。
【背景技術】
【０００２】
ファクシミリ装置において、同報通信および集信通信など、同じ処理を複数の相手に対して繰り返して行う機能が採用されている。
例えば、「特開平８−１０６３６９号公報」（文献１）は、システムがジョブに優先順位を付与する発明を開示する。
また、「特開平８−８３１５４号公報」（文献２）は、ユーザがジョブの処理希望時刻を設定する発明を開示する。
また、「特開２０００−１６３３３０号公報」（文献３）は、ジョブを蓄積する前に優先順位を付すようにした発明を開示する。
【０００３】
しかしながら、いずれの文献も、同報通信および集信通信など、同じ処理を複数の相手に対して繰り返して行うジョブを、ユーザに把握しやすいように表示することができる発明を開示していない。
【特許文献１】特開平８−１０６３６９号公報
【特許文献２】特開平８−８３１５４号公報
【特許文献３】特開２０００−１６３３３０号公報
【発明の開示】
【発明が解決しようとする課題】
【０００４】
本発明は、上述した従来技術の問題点に鑑みてなされたものであり、同報通信および集信通信など、同じ処理を複数の相手に対して繰り返して行うジョブを、ユーザに把握しやすいように表示することができるジョブリスト表示装置およびその方法を提供することを目的とする。
【課題を解決するための手段】
【０００５】
［ジョブリスト表示装置］
上記目的を達成するために、本発明にかかる第１のジョブリスト表示装置は、ジョブと前記ジョブの情報とを対応付けて、リストに一覧表示するリスト表示手段を有するジョブリスト表示装置であって、前記リスト表示手段は、複数の第１のジョブからなる第２のジョブを、前記リストにおける１つのジョブとして表示し、前記第２のジョブに含まれる前記複数の第１のジョブの内の１つ以上のジョブの情報を、前記表示された第２のジョブの情報として、この第２のジョブと対応付けて表示する。
【０００６】
また、本発明にかかる第２のジョブリスト表示手段は、ジョブと前記ジョブの情報とを対応付けて、リストに一覧表示するリスト表示手段を有するジョブリスト表示装置であって、前記リスト表示手段は、複数の第１のジョブからなる第２のジョブを、前記リストにおける１つのジョブとして表示し、前記第２のジョブに含まれる前記複数の第１のジョブの内、実行中の第１のジョブの情報を、前記表示された第２のジョブの情報として、この第２のジョブと対応付けて表示する。
【０００７】
また、本発明にかかる第３のジョブリスト表示装置は、ジョブと前記ジョブの情報とを対応付けて、リストに一覧表示するリスト表示手段を有するジョブリスト表示装置であって、前記リスト表示手段は、複数の第1のジョブからなる第２のジョブに含まれる前記第１のジョブの内、未処理の第１のジョブを１つのジョブとして表示する。
【０００８】
また、本発明にかかる第４のジョブリスト表示装置は、ジョブと前記ジョブの情報とを対応付けて、リストに一覧表示するリスト表示手段を有するジョブリスト表示装置であって、前記リスト表示手段は、複数の第1のジョブからなる第２のジョブに含まれる前記第１のジョブの内、処理中の第１のジョブを１つのジョブとして表示し、前記第２のジョブに含まれる前記第１のジョブの内、未処理の第１のジョブを他の１つのジョブとして表示する。
【０００９】
好適には、前記リスト表示手段は、前記ジョブと対応付けられて表示されるジョブの情報として、ジョブの通信相手に関する情報を表示する。
【００１０】
好適には、前記第２のジョブは、同じ内容の画像を、複数の通信相手それぞれに対して送信する同報通信ジョブであって、前記第２のジョブに含まれる前記第１のジョブそれぞれは、前記複数の通信相手に対する送信ジョブそれぞれである。
【００１１】
好適には、前記第２のジョブは、複数の通信相手それぞれから画像を受信する集信通信ジョブであって、前記第２のジョブに含まれる前記第１のジョブそれぞれは、前記複数の通信相手からの受信ジョブそれぞれである。
【００１２】
また、本発明にかかる第１のジョブリスト表示プログラムは、ジョブと前記ジョブの情報とを対応付けて、リストに一覧表示するリスト表示ステップを、コンピュータに実行させるジョブリスト表示プログラムであって、前記リスト表示ステップは、複数の第１のジョブからなる第２のジョブを、前記リストにおける１つのジョブとして表示し、前記第２のジョブに含まれる前記複数の第１のジョブの内の１つ以上のジョブの情報を、前記表示された第２のジョブの情報として、この第２のジョブと対応付けて表示する。
【００１３】
また、本発明にかかる第２のジョブリスト表示プログラムは、ジョブと前記ジョブの情報とを対応付けて、リストに一覧表示するリスト表示ステップを、コンピュータに実行させるジョブリスト表示プログラムであって、前記リスト表示ステップは、複数の第１のジョブからなる第２のジョブを、前記リストにおける１つのジョブとして表示し、前記第２のジョブに含まれる前記複数の第１のジョブの内、実行中の第１のジョブの情報を、前記表示された第２のジョブの情報として、この第２のジョブと対応付けて表示する。
【００１４】
また、本発明にかかる第３のジョブリスト表示プログラムは、ジョブと前記ジョブの情報とを対応付けて、リストに一覧表示するリスト表示ステップを、コンピュータに実行させるジョブリスト表示プログラムであって、前記リスト表示ステップは、複数の第1のジョブからなる第２のジョブに含まれる前記第１のジョブの内、未処理の第１のジョブを１つのジョブとして表示す。
【００１５】
また、本発明にかかる第４のジョブリスト表示プログラムは、ジョブと前記ジョブの情報とを対応付けて、リストに一覧表示するリスト表示ステップを、コンピュータに実行させるジョブリスト表示プログラムであって、前記リスト表示ステップは、複数の第1のジョブからなる第２のジョブに含まれる前記の第１のジョブの内、処理中の第１のジョブを１つのジョブとして表示し、前記第２のジョブに含まれる前記第１のジョブの内、未処理の第１のジョブを他の１つのジョブとして表示する。
【００１６】
［ジョブ表示装置］
また、本発明にかかるジョブ表示装置は、複数回の第１のジョブを含む第２のジョブを表示するジョブ表示装置であって、前記第２のジョブを１つのジョブとして表示する第２のジョブ表示手段と、前記表示された第２のジョブに対応づけて、前記表示された第２のジョブに含まれる複数回の第１のジョブの内の１つ以上の情報を表示する情報表示手段とを有する。
【００１７】
好適には、操作に応じて、前記表示した第２のジョブに含まれる複数回の第１のジョブそれぞれを１つのジョブとして表示する第１のジョブ表示手段を有する。
【００１８】
好適には、前記情報表示手段は、前記第２のジョブに含まれる複数回の第１のジョブのいずれかが実行されている場合に、前記実行されている回数の第１のジョブの情報を表示する。
【００１９】
好適には、前記第２のジョブは、同じ内容の画像を、それぞれ異なる通信相手に対して複数回、送信する送信ジョブを、前記複数回の第１のジョブとして含む同報ジョブであって、前記情報表示手段は、操作に応じて、前記表示した同報ジョブに含まれる複数回の送信ジョブそれぞれを、第２のジョブに含まれる複数回の第１のジョブそれぞれとして表示する。
【００２０】
好適には、前記第２のジョブは、それぞれ異なる通信相手から複数回、画像を受信する受信ジョブを、前記複数回の第１のジョブとして含む集信ジョブであって、前記情報表示手段は、操作に応じて、前記表示した集信ジョブに含まれる複数回の受信ジョブそれぞれを、第２のジョブに含まれる複数回の第１のジョブそれぞれとして表示する。
【００２１】
好適には、前記第２のジョブは、同じ内容の画像を、それぞれ異なる通信相手に対して複数回、送信する送信ジョブを、前記複数回の第１のジョブとして含む同報ジョブであって、前記情報表示手段は、実行されている回数の前記送信ジョブの通信相手を、前記実行されている回数の第１のジョブの情報として表示する。
【００２２】
好適には、前記第２のジョブは、それぞれ異なる通信相手から画像を複数回、受信する受信ジョブを、前記複数回の第１のジョブとして含む集信ジョブであって、前記情報表示手段は、実行されている回数の前記受信ジョブの通信相手を、前記実行されている回数の第１のジョブの情報として表示する。
【００２３】
［ジョブ表示方法］
また、本発明にかかる第１のジョブ表示方法は、複数回の第１のジョブを含む第２のジョブを表示するジョブ表示方法であって、前記第２のジョブを１つのジョブとして表示する第２のジョブ表示手段と、前記表示された第２のジョブに対応づけて、前記表示された第２のジョブに含まれる複数回の第１のジョブの内の１つ以上の情報を表示する情報表示手段とを有する。
【００２４】
また、本発明にかかる第２のジョブ表示方法は、複数回の第１のジョブを含む第２のジョブを表示するジョブ表示方法であって、前記第２のジョブを１つのジョブとして表示し、前記表示された第２のジョブに対応づけて、前記表示された第２のジョブに含まれる複数回の第１のジョブの内の１つ以上の情報を表示する。
【００２５】
［プログラム］
また、本発明にかかるプログラムは、複数回の第１のジョブを含む第２のジョブをコンピュータに表示させるプログラムであって、前記第２のジョブを１つのジョブとして表示するステップと、前記表示された第２のジョブに対応づけて、前記表示された第２のジョブに含まれる複数回の第１のジョブの内の１つ以上の情報を表示するステップとを含む。
【発明の効果】
【００２６】
本発明にかかるジョブリスト表示装置およびその方法によれば、同報通信および集信通信など、同じ処理を複数の相手に対して繰り返して行うジョブを、ユーザに把握しやすいように表示することができる。
【発明を実施するための最良の形態】
【００２７】
以下、本発明の実施形態を説明する。
図１は、本発明にかかる処理順序表示方法およびジョブ処理方法が適用されるネットワークシステム１の構成を示す図である。
図１に示すように、ネットワークシステム１は、例えば、複数のパーソナルコンピュータ（ＰＣ）１０−１〜１０−ｎ（いずれかを特定せずに示す場合には単にＰＣ１０とも記す）と、コピー複合機２とがネットワーク１２を介して接続されて構成される。
【００２８】
［コピー複合機２のハードウェア構成］
図２は、図１に示したコピー複合機２のハードウェア構成を示す図である。
図２に示すように、コピー複合機２においては、キーボードインターフェース（キーボードＩＦ）２００、タッチパネルＩＦ２１０、スキャナＩＦ２２０、プリンタＩＦ２３０、記録装置ＩＦ２４０、ＣＰＵ２５０、メモリ２５２およびネットワークＩＦ２６０が、バス２７０を介して接続される。
【００２９】
さらに、キーボードＩＦ２００には、コピー枚数・ファックス番号の設定などに用いられるキーボード２０２が接続される。
タッチパネルＩＦ２１０には、タッチパネル２１４とＬＣＤ表示装置２１６とが組み合わされ、ＬＣＤ表示装置２１６への表示に応じてユーザがタッチパネル２１４を押下することにより、コピー複合機２に対する操作を行うことができるタッチパネル入力装置２１２が接続される。
【００３０】
スキャナＩＦ２２０には、コピー機能・ＦＡＸ機能に必要な画像の読み取りを行うスキャナ装置２２２が接続される。
プリンタＩＦ２３０には、例えば、ゼログラフィにより画像の印刷を行うプリンタ装置２３２が接続される。
記録装置ＩＦ２４０には、ＨＤＤ装置・ＣＤ−ＲＯＭドライブ装置などの記録装置２４２が接続される。
ネットワークＩＦ２６０には、図１に示したネットワーク１２が接続される。
【００３１】
つまり、コピー複合機２は、ネットワーク１２を介してＰＣ１０−１〜１０−ｎから画像データをネットワークＩＦ２６０により受信し、プリンタ装置２３２により受信した画像データを印刷するネットワークプリンタとしての機能と、スキャナ装置２２２により読み込んだ画像データを、ＰＣ１０−１〜１０−ｎに送信するスキャナとしての機能と、スキャナ装置２２２により読み込んだ画像データを、他のＦＡＸ端末（図示せず）に送信し、逆に、他のＦＡＸ端末から送られてきた画像データを受信してプリンタ装置２３２により印刷するＦＡＸ装置としての機能と、スキャナ装置２２２により読み込んだ画像データをプリンタ装置２３２により印刷するコピー装置としての機能とを一体に含んでいる。
【００３２】
［ジョブ管理プログラム３］
図３は、コピー複合機２により実行されるジョブ管理プログラム３の構成を示す図である。
図３に示すように、ジョブ管理プログラム３は、入力解析部３０、ユーザインターフェース管理（ＵＩ管理）部３２、ジョブ処理管理部３６、イベント検出部３８、タイマ部４０．通信制御部４２、同報・集信制御部４４、プリンタ制御部４６およびスキャナ制御部４８から構成される。
また、ＵＩ管理部３２は、完了／未完了管理部３２０、詳細管理部３２２、ページ管理部３２４、優先管理部３２６およびジョブ管理部３２８から構成される。
【００３３】
ジョブ管理プログラム３は、例えば、ＣＤ−ＲＯＭなどの記録媒体２４４に記録された状態でコピー複合機２に供給され、メモリ２５２にロードされて実行される。
ジョブ管理プログラム３は、これらの構成部分により、蓄積されたジョブを一時に一つずつ順番に処理する。
【００３４】
また、ジョブ管理プログラム３は、ユーザによるタッチパネル入力装置２１２へのジョブの処理順序の変更操作を受け入れ、ユーザが指定した順序でジョブを処理する。
また、ジョブ管理プログラム３は、ユーザによるタッチパネル入力装置２１２への表示内容の変更操作を受け入れ、ユーザが指定した情報を表示する。
【００３５】
図４は、本発明にかかるジョブ処理順序の変更操作に用いられるユーザインターフェース画像を例示する第１の図である。
以下、適宜、図４などをさらに参照して、ジョブ管理プログラム３の各構成部分を説明する。
【００３６】
［入力解析部３０］
ジョブ管理プログラム３において、入力解析部３０は、ユーザが、タッチパネル入力装置２１２のタッチパネル２１４に対して行った操作を解析してＵＩ管理部３２の各構成部分に対して出力する。
タッチパネル入力装置２１２のタッチパネル２１４（図２）からは、ユーザが行った操作は、単に、ユーザが押下したタッチパネル２１４上の位置の座標として出力される。
【００３７】
入力解析部３０は、タッチパネル２１４の座標が、図４に例示するユーザインターフェース画像（ＵＩ画像）内のいずれのボタンに対する操作であるかを解析し、解析の結果をＵＩ管理部３２の構成部分に伝える。
【００３８】
例えば、ユーザが、「未完了ジョブ」・「完了ジョブ」（図４左上・中央上）と記されたボタン（未完了ボタン・完了ボタン）を押下すると、入力解析部３０は、押下位置の座標を解析して、これらのいずれかのボタンが押下されたことを検出し、いずれのボタンが押下されたかをＵＩ管理部３２の完了／未完了管理部３２０に通知する。
【００３９】
同様に、例えば、ユーザが同報通信の複数の宛先の全てを表示させたいような場合に用いる詳細表示ボタン（図９などを参照して後述）を押下すると、入力解析部３０は、このボタンが押下されたことを詳細管理部３２２に通知する。
【００４０】
同様に、例えば、ユーザが、ページ送り用の「▲」・「▼」（図４右下）という図形が付されたボタン（ページ送りボタン）を押下すると、入力解析部３０は、これらのいずれかのボタンが押下されたことを検出し、ページ管理部３２４に通知する。
【００４１】
同様に、例えば、ユーザが、図４に示すジョブの優先順位（ジョブの処理順序）を変更する操作を示す「優先設定」（図４左上、他に「コピー優先」・「プリンタ優先」・「ファックス優先」；図６などを参照して後述）と記されたボタン（優先設定ボタン、コピー優先ボタン、プリンタ優先ボタン、ファックス優先ボタン）を押下すると、入力解析部３０は、このボタンが押下されたことを検出し、優先管理部３２６に通知する。
【００４２】
同様に、例えば、ユーザが、蓄積済みのジョブを指定する操作に用いる「０００２２−コピー」・「＊＊＊＊＊−プリンター」（図４下方）などと記されたリスト（ジョブリスト）の各ボタン（ジョブボタン）を押下すると、入力解析部３０は、これらのいずれのボタンが押下されかを検出し、ジョブ管理部３２８に通知する。
【００４３】
また、タッチパネル２１４に対してユーザによる操作があるたびに、入力解析部３０は、タイマ制御信号によりタイマ部４０を制御し、ＬＣＤ表示装置２１６をパワーオフするためのタイマをリセットする。
【００４４】
［ＵＩ管理部３２］
以下、ＵＩ管理部３２の各構成部分を説明する。ＵＩ管理部３２は、ジョブの処理順序の変更、および、ＬＣＤ表示装置２１６に表示するＵＩ画像の変更を行う。
【００４５】
［完了／未完了管理部３２０］
完了／未完了管理部３２０は、ＬＣＤ表示装置２１６（図２）に完了ジョブボタンおよび未完了ジョブボタンを表示し、ユーザによる完了ジョブボタンおよび未完了ジョブボタンに対する操作に応じてＵＩ画像を変更する。
ユーザが完了ジョブボタンを押下した場合には、完了／未完了管理部３２０は、既に処理が終了したジョブ（完了ジョブ）を、図４下方部分に表示するようにジョブ管理部３２８を制御する。
また、ユーザが未完了ジョブボタンを押下した場合には、完了／未完了管理部３２０は、処理中のジョブ、および、蓄積されているがまだ処理が完了していないジョブ（未完了ジョブ）を、図４下方部分に表示するようにジョブ管理部３２８を制御する。
【００４６】
［詳細管理部３２２］
詳細管理部３２２は、後述するように、複数の通信相手に対する同報通信あるいは集信通信それぞれを１つのジョブとしてジョブリストに表示するようにジョブ管理部３２８を制御する。
また、詳細管理部３２２は、ＬＣＤ表示装置２１６（図２）に詳細表示ボタンを表示し、ユーザによるジョブの指定および詳細表示ボタンに対する操作に応じて、同報通信・集信通信を、通信相手それぞれに対する複数のジョブとしてジョブリストに表示するようにジョブ管理部３２８を制御する。
【００４７】
［ページ管理部３２４］
ＵＩ画像においては、図４に例示するように、完了ジョブあるいは未完了ジョブが１つの画面に５つ表示され、完了ジョブあるいは未完了ジョブが５つ以上ある場合には、１つの画面に５つ以下ずつ、複数の画面にわたって順番に表示される。
ページ管理部３２４は、上述したページ送りボタンを表示し、ユーザが、ページ送りボタンのいずれかを押下すると、ページ管理部３２４は、この操作に応じて、画面を前または後ろに送って表示するようにジョブ管理部３２８を制御する。
また、ページ管理部３２４は、前方あるいは後方に送るべきページがない場合には、その方向に対応するページ送りボタンの表示の濃度を薄くして、ユーザにその旨を示す。
【００４８】
［優先管理部３２６］
優先管理部３２６は、優先設定ボタン、あるいは、コピー優先ボタンなどを表示し、ユーザによるジョブの指定および優先設定ボタンに対する操作に応じて、指定されたジョブの優先順位を上げ、優先順位が上げられたジョブの表示を、早く処理されることを示すジョブリストの上の方の位置に変更するようにジョブ管理部３２８を制御する。
【００４９】
［ジョブ管理部３２８］
ジョブ管理部３２８は、ジョブリストの各ジョブボタンに対する操作をＵＩ管理部３２の他の構成部分に通知する。
また、ジョブ管理部３２８は、タッチパネル２１４（図２）に対するユーザの操作、ネットワーク１２を介したＰＣ１０からの印刷コマンドなどを受けて、各ジョブを上の方から早く処理される順序で示したジョブリストを作成し、表示する。
また、ジョブ管理部３２８は、ＵＩ管理部３２の他の構成部分の制御に従って、ジョブリストを変更する。
【００５０】
［ＵＩ画像生成部３４］
ＵＩ画像生成部３４は、ＵＩ管理部３２の各構成部分などに従って、図４などに示すＵＩ画像を作成し、ＬＣＤ表示装置２１６に表示する。
【００５１】
［ジョブ実行管理３６］
ジョブ実行管理３６は、ジョブリストが示す処理順序で各ジョブを処理するように通信制御部４２〜スキャナ制御部４８の各構成部分を制御する。
【００５２】
［イベント検出部３８］
イベント検出部３８は、通信制御部４２〜スキャナ制御部４８の各構成部分から上げられる通信開始・終了、印刷開始・終了、スキャン開始・終了、および、タイマ部４０から上げられるＬＣＤ表示装置２１６のパワーオフタイマの終了などのイベントを検出し、ＵＩ画像生成部３４、ジョブ実行管理３６およびＵＩ管理部３２に対して出力する。
【００５３】
［通信制御部４２］通信制御部４２は、ネットワークＩＦ２６０（図２）を制御し、ＰＣ１０との通信を行う。
【００５４】
［同報・集信制御部４４］同報・集信制御部４４は、通信制御部４２を制御し、同報通信（複数の通信相手に対して同一の画像をＦＡＸ送信する通信）および集信通信（複数の通信相手からポーリング通信によりＦＡＸ画像を受信する通信）を行う。
【００５５】
［プリンタ制御部４６］
プリンタ制御部４６は、プリンタＩＦ２３０およびプリンタ装置２３２（図２）を制御して画像データを印刷する。
【００５６】
［スキャナ制御部４８］
スキャナ制御部４８は、スキャナＩＦ２２０およびスキャナ装置２２２を制御し、画像を読みとって画像データを作成する。
【００５７】
なお、通信制御部４２〜スキャナ制御部４８の動作の組み合わせにより、コピー複合機２のコピー機能、ファクシミリ機能およびプリンタ機能が実現される。
つまり、スキャナ制御部４８が画像を読みとって作成した画像データをプリンタ制御部４６が印刷するとコピー機能が実現される。
また、スキャナ制御部４８が作成した画像データを、通信制御部４２が他のＦＡＸ装置に電送するとＦＡＸ送信機能が実現される。
また、通信制御部４２が他のＦＡＸ装置から電送されてきた画像データを受信し、プリンタ制御部４６が印刷すると、ＦＡＸ受信機能が実現される。
また、通信制御部４２がＰＣ１０から受信した画像データをプリンタ制御部４６が印刷すると、プリンタ機能が実現される。
【００５８】
［ジョブ処理順序変更］
まず、図５〜図７をさらに参照して、コピー複合機２のジョブ管理プログラム３による第１および第２のジョブ処理順序変更を説明する。
図５〜図７は、本発明にかかるジョブ処理順序の変更操作に用いられるユーザインターフェース画像を例示する第２〜第４の図である。
【００５９】
［第１のジョブ処理順序変更］
ユーザがコピー複合機２の各構成部分（図２）およびタッチパネル入力装置２１２に対して操作を行い、ジョブを５つ以上、蓄積させ、タッチパネル入力装置２１２に表示された未完了ジョブボタンを押下すると、ＵＩ管理部３２およびＵＩ画像生成部３４（図３）は、図４に示すようなＵＩ画像を作成し、ＬＣＤ表示装置２１６に表示する。
【００６０】
例えば、図４のジョブリストに示す「０００２７−コピー」のジョブの処理順序を、まだ処理されていない他のジョブよりも早く処理したいと望むと、ユーザは、タッチパネル入力装置２１２（図２）を操作し、ジョブリスト内のジョブボタンを押下して、「０００２７−コピー」のジョブを指定する。
入力解析部３０（図３）は、「０００２７−コピー」のジョブボタンが押下されたことをジョブ管理部３２８に伝えると、ジョブ管理部３２８は、「０００２７−コピー」のジョブを選択し、「０００２７−コピー」が選択されたことをＵＩ管理部３２の他の構成部分に通知する。
ジョブ管理部３２８は、さらに、「０００２７−コピー」のジョブボタンの表示の白黒を逆転させたり、あるいは、図４に例示するように「０００２７−コピー」のジョブボタンの枠を太くしたりして、「０００２７−コピー」のジョブが選択されたことを表示する。
なお、ジョブボタンにおける「スキャナ」のジョブは、例えば、スキャナ機能により読み込んだ画像データを、ｅ−ｍａｉｌなどにより他のノードに送信するジョブを示す。
【００６１】
ユーザが続いて、図４に太い枠で示す優先設定ボタンを押下すると、優先管理部３２６（図３）は、「０００２７−コピー」の処理順序を、現在処理中の「０００２２−コピー」のジョブの次、つまり、まだ処理されていないジョブの内で最初に処理される順序にする。
さらに、優先管理部３２６は、ジョブ管理部３２８を制御して、図５に太い枠で示すように、「０００２７−コピー」のジョブの表示位置を、「０００２２−コピー」のジョブの直下とし、「０００２２−コピー」のジョブが終了し次第、「０００２７−コピー」のジョブの処理が開始されることを表示する。
【００６２】
［第２のジョブ処理順序変更］
あるいは、優先管理部３２６（図３）が、優先設定ボタン（図４，５）の代わりに、図６，７に示すコピー優先ボタン、プリンタ優先ボタンおよびファクス優先ボタンを表示する場合において、例えば、ユーザが、コピーのジョブの処理順序を、まだ処理されていない他の種類（プリンタおよびファックス）のジョブよりも早く処理したいと望むと、図６に太枠で示すように、ユーザは、タッチパネル入力装置２１２（図２）を操作し、コピー優先ボタンを押下して、コピーのジョブの全てを指定する。
【００６３】
優先管理部３２６（図３）は、表示されているか表示されていないかを問わず、全ての画面のジョブリストの全てのコピーのジョブ（図６，７においては「０００２２−コピー」・「０００２３−コピー」）を選択し、「０００２２−コピー」および「０００２３−コピー」のジョブの処理順序を、図６，７において現在処理中の「０００３０−ファックス送信」のジョブの次、つまり、まだ処理されていないジョブの内で、他の種類のジョブよりも先に処理される順序にする。
さらに、優先管理部３２６は、ジョブ管理部３２８を制御して、図７に示すように、「０００２２−コピー」および「０００２３−コピー」のジョブの表示に、例えば★印を付し、「０００２２−コピー」および「０００２３−コピー」のジョブが他の種類のジョブよりも先に処理されることを表示する。
【００６４】
図８を参照して、第１および第２のジョブ処理順序変更をさらに説明する。
図８は、図４〜図７に示した本発明にかかるジョブ処理順序変更の動作（Ｓ１０）を示すフローチャートである。
図８に示すように、ステップ１００（Ｓ１００）において、優先管理部３２６は、図４，５に示したＵＩの表示内容が選択されているか、図６，７に示したＵＩの表示内容が選択されているかを判断する。
ジョブ管理プログラム３は、図４，５に示した表示内容が選択されている場合にはＳ１０２の処理に進み、図６，７に示した表示内容が選択されている場合にはＳ１１０の処理に進み、これ以外の場合にはＳ１２２の処理に進む。
【００６５】
タッチパネル入力装置２１２に対する操作があると、ステップ１０２（Ｓ１０２）において、優先管理部３２６は、ジョブ管理部３２８から、ユーザによりいずれかのジョブボタンが押下され、ジョブが選択されたと通知されたか否かを判断する。
ジョブ管理プログラム３は、ジョブボタン以外が押下された場合にはＳ１２２の処理に進み、これ以外の場合にはＳ１０４の処理に進む。
【００６６】
ステップ１０４（Ｓ１０４）において、ジョブ管理部３２８は、図４に示したように、押下されたジョブボタンの枠を太くするなどにより、押下されたジョブのボタンの表示を強調し、押下されたジョブボタンに対応するジョブが選択されたことを表示する。
【００６７】
ステップ１０６（Ｓ１０６）において、ジョブ管理部３２８は、図４に示した優先設定ボタンが押下されたか否かを判断する。
ジョブ管理プログラム３は、優先設定ボタンが押下された場合にはＳ１０８の処理に進み、これ以外の場合にはＳ１２２の処理に進む。
【００６８】
ステップ１０８（Ｓ１０８）において、ジョブ管理部３２８は、選択されたジョブが最先に処理されるように処理順序を変更し、ジョブ管理部３２８を制御して、選択されたジョブが、処理中のジョブをのぞいてジョブリストの最も上に表示されるようにする。
【００６９】
ステップ１１０（Ｓ１１０）において、優先管理部３２６は、コピー優先ボタン、プリンタ優先ボタンおよびファックス優先ボタンのいずれが押下されたかを判断する。
ジョブ管理プログラム３は、ファックス優先ボタンが押下された場合にはＳ１１２の処理に進み、プリンタ優先ボタンが押下された場合にはＳ１１４の処理にすすみ、コピー優先ボタンが押下された場合にはＳ１１６の処理に進む。
なお、ジョブ管理プログラム３は、これら以外の場合にはＳ１２２の処理に進む（図示せず）。
【００７０】
ステップ１１２（Ｓ１１２）において、優先管理部３２６は、ファックスのジョブを選択する。
【００７１】
ステップ１１４（Ｓ１１４）において、優先管理部３２６は、プリンタのジョブを選択する。
【００７２】
ステップ１１６（Ｓ１１６）において、優先管理部３２６は、コピーのジョブを選択する。
【００７３】
ステップ１１８（Ｓ１１８）において、優先管理部３２６は、ジョブ管理部３２８を制御して、選択された機能のジョブに、例えば図７に示したように、優先して処理される旨の図形を付加する。
【００７４】
ステップ１２０（Ｓ１２０）において、優先管理部３２６は、選択した機能のジョブが、他の機能のジョブよりも先に処理されるように処理順序を変更する。
【００７５】
［ジョブ終了表示］
以下、図９〜図１２を参照して、本発明にかかるジョブの終了表示を説明する。
図９〜図１２は、本発明にかかるジョブ終了表示に用いられるユーザインターフェース画像を例示する第１〜第４の図である。
図９に示すように、ユーザがジョブ管理プログラム３（図３）に未完了ジョブのジョブリストを表示させているときに、処理中であった「０００３０−ファックス送信」のジョブが正常に終了すると、イベント検出部３８は、このイベントを完了／未完了管理部３２０に通知する。
【００７６】
完了／未完了管理部３２０（図３）は、図１０に枠を太くして示すように、処理が終了した「０００３０−ファックス送信」のジョブボタンに「正常終了」の文字を表示する。
完了／未完了管理部３２０は、イベント検出部３８から、ＬＣＤ表示装置２１６のパワーオフのイベントが通知された場合、ページ管理部３２４からページ送りボタンが押下されたと通知があった場合、および、完了／未完了管理部３２０から完了ボタンが押下されたと通知があった場合に、図１１に示すように、ジョブ管理部３２８を制御して「０００３０−ファックス送信」のジョブボタンを消去させる。
【００７７】
なお、図１０に示したように、「０００３０−ファックス送信」のジョブボタンに「正常終了」の文字が表示されている間に、ユーザが完了ジョブボタンを押下すると、完了／未完了管理部３２０（図３）は、図１２に示すように、完了ジョブのジョブリストに「０００３０−ファックス送信」の表示を追加する。
【００７８】
図１３を参照して、本発明にかかるジョブ終了表示をさらに説明する。
図１３は、図９〜図１２に示したジョブ終了表示の動作（Ｓ２０）を示すフローチャートである。
図１３に示すように、ステップ２００（Ｓ２００）において、完了／未完了管理部３２０は、図９に示したように、ＬＣＤ表示装置２１６に未完了ジョブを表示しているか否かを判断する。
ジョブ管理プログラム３は、未完了ジョブを表示している場合にはＳ２０２の処理に進み、これ以外の場合にはＳ２１０の処理に進む。
【００７９】
ステップ２０２（Ｓ２０２）において、完了／未完了管理部３２０は、処理が終了したジョブがあるか否かを判断する。
ジョブ管理プログラム３は、終了したジョブがある場合にはＳ２０４の処理に進み、これ以外の場合にはＳ２１０の処理に進む。
【００８０】
ステップ２０４（Ｓ２０４）において、完了／未完了管理部３２０は、終了したジョブのジョブボタンに、「正常終了」など、そのジョブが終了した旨を示す表示を行う。
【００８１】
イベントが発生すると、ステップ２０６（Ｓ２０６）において、完了／未完了管理部３２０は、発生したイベントが、ＬＣＤ表示装置２１６のパワーオフ、ページ送りボタンの押下および完了ボタンの押下（表示変更イベント）のいずれかであるか否かを判断する。
ジョブ管理プログラム３は、表示変更イベントが発生した場合にはＳ２０８の処理に進み、これ以外の場合にはＳ２１０の処理に進む。
【００８２】
ステップ２０８（Ｓ２０８）において、完了／未完了管理部３２０は、ジョブ管理部３２８を制御して、図１１に示したように、終了したジョブの表示を未完了ジョブのジョブリストから消去する。
【００８３】
ステップ２１０（Ｓ２１０）において、ジョブ管理プログラム３は、他の処理を行う。
【００８４】
［見えない画面の情報表示］
以下、図１４〜１７を参照して、本発明にかかる見えない画面の情報表示を説明する。
図１４〜図１７は、本発明にかかる見えない画面の情報表示に用いられるユーザインターフェース画像を例示する第１〜第４の図である。
【００８５】
図１４に示すように、ジョブ管理プログラム３（図３）が未完了ジョブのジョブリストを表示している状態で、新たなジョブが追加されることがある。
新たなジョブが追加された場合であっても、図１５に示すように、ＬＣＤ表示装置２１６（図２）に表示されていない（ユーザから見えない）２ページ目の画面のジョブリストに４つのジョブしかない場合には、さらに１つジョブが追加されたとしても、ページ数は増加せず、ＬＣＤ表示装置２１６に表示されている（ユーザから見える）１ページ目の表示内容に何らの変化も生じない。
【００８６】
一方、図１５に示した２ページ目の画面のジョブリストに、２つのジョブが追加されると、図１６に示すように、画面の枚数は２ページから３ページに増加するので、図１７に示すように、ページ送りボタンの間のページ数の表示を「１／２」から「１／３」に変更する必要がある。
ページ管理部３２４（図３）は、このように、ジョブが追加されたり、あるいは、ジョブが終了して未完了ジョブから消去されたりした場合に、画面の枚数の変化を、ページ数を変更することにより、リアルタイムに表示中の画面に反映する。
【００８７】
以下、図１８を参照して、本発明にかかる見えない画面の情報表示をさらに説明する。
図１８は、図１４〜図１７に示した見えない画面の情報表示の動作（Ｓ３０）を示すフローチャートである。
図１８に示すように、イベント検出部３８が、イベントをページ管理部３２４に通知すると、ステップ３００（Ｓ３００）において、ページ管理部３２４は、通知されたイベントが新たなジョブの蓄積（ジョブの発生）あるいはジョブの完了を示すか否かを判断する。
ジョブ管理プログラム３は、イベント検出部３８が、ジョブの発生あるいはジョブの完了を通知した場合にはＳ３０２の処理に進み、これ以外の場合にはＳ３０６の処理に進む。
【００８８】
ステップ３０２（Ｓ３０２）において、ページ管理部３２４は、画面のページ数に増減があり、ＬＣＤ表示装置２１６に表示されている画面を変更する必要があるか否かを判断する。
ジョブ管理プログラム３は、画面の変更が必要な場合にはＳ３０４の処理に進み、これ以外の場合にはＳ３０６の処理に進む。
【００８９】
ステップ３０４（Ｓ３０４）において、ページ管理部３２４は、ページ数を変更する。
【００９０】
ステップ３０６（Ｓ３０６）において、ジョブ管理プログラム３は他の処理を行う。
【００９１】
［同報通信・集信通信の詳細表示］
以下、図１９〜図２３を参照して、本発明にかかる同報通信・集信通信表示を説明する。
図１９は、同報通信・集信通信ジョブの表示例を示す図である。
図２０〜図２３は、本発明にかかる同報通信・集信通信表示に用いられるユーザインターフェース画像を例示する第１〜第４の図である。
【００９２】
同報通信および集信通信には、複数の通信相手が設定されるので、例えば、３つの通信相手が設定された場合、通常、ジョブの表示は、図１９に示すように、通信相手ごとの３つのジョブとして行われる。
【００９３】
本発明にかかる同報通信および集信通信の表示においては、図２０に示すように、詳細管理部３２２は、通信相手が３つ設定された場合であっても同じ画像を送信する同報通信を１つのジョブとしてジョブリストに通信相手の数を付して表示し、この同報通信のジョブのが処理されている間は、図２１に示すように、通信中の相手（宛先）をジョブボックスに表示する。
【００９４】
また、詳細管理部３２２（図３）は、ユーザによるジョブの選択および詳細表示ボックスに対する操作（例えば押下の回数）に応じて、図２２に示すように、通信中の通信を１つのジョブとして表示し、処理が開始されていない他の複数の通信相手との通信を１つのジョブとして表示し、あるいは、図２３に示すように、別の画面に、同報通信のジョブを、通信相手ごとの複数のジョブとして表示する。
なお、以上の説明においては、同報通信の場合を具体例としたが、集信通信の場合であっても同様に詳細表示を行えばよいことは明らかである。
【００９５】
以下、図２４を参照して、本発明にかかる同報通信および集信通信の表示をさらに説明する。
図２４は、図１９〜図２３に示した同報通信および集信通信の表示の動作（Ｓ４０）を示すフローチャートである。
【００９６】
図２４に示すように、詳細管理部３２２は、ステップ４００（Ｓ４００）において、完了／未完了管理部３２０が未完了ジョブを表示しているか否かを判断し、未完了ジョブを表示している場合にはＳ４０２の処理に進み、これ以外の場合にはＳ４２２の処理に進む。
【００９７】
ステップ４０２（Ｓ４０２）において、詳細管理部３２２は、未完了ジョブの中に同報通信・集信通信が含まれているか否かを判断する。
ジョブ管理プログラム３は、未完了ジョブの中に同報通信・集信通信が含まれている場合にはＳ４０４の処理に進み、これ以外の場合にはＳ４２２の処理に進む。
【００９８】
ステップ４０４（Ｓ４０４）において、詳細管理部３２２は、同報通信および集信通信それぞれを１つのジョブとして表示すべきか否かを判断する。
ジョブ管理プログラム３は、同報通信および集信通信それぞれを１つのジョブとして表示すべき場合にはＳ４０６の処理に進み、これ以外の場合にはＳ４１８の処理に進む。
【００９９】
ステップ４０６（Ｓ４０６）において、詳細管理部３２２は、ジョブ管理部３２８を制御し、図２０に示すように、同報通信および集信通信それぞれを１つのジョブとして宛先数を付してジョブリストに表示する。
【０１００】
ステップ４０８（Ｓ４０８）において、詳細管理部３２２は、イベント検出部３８から設定された通信相手のいずれかとの同報通信・集信通信が終了したことを示すイベントが通知されたか否かを判断する。
上記イベントが通知された場合にはＳ４１０の処理に進み、これ以外の場合にはＳ４１２の処理に進む。
【０１０１】
ステップ４１０（Ｓ４１０）において、詳細管理部３２２は、その同報通信・集信通信のジョブボックスの宛先数の表示を、残りの通信相手の数に合わせて変更する。
【０１０２】
ステップ４１２（Ｓ４１２）において、詳細管理部３２２は、通信中の同報通信・集信通信があるか否かを判断する。
ジョブ管理プログラム３は、通信中の同報通信・集信通信がある場合にはＳ４１４の処理に進み、これ以外の場合にはＳ４１６の処理に進む。
【０１０３】
ステップ４１４（Ｓ４１４）において、詳細管理部３２２は、ユーザの操作に応じてジョブ管理部３２８を制御し、通信中の同報通信・集信通信の宛先を、図２１または図２２に示したように、その同報通信・集信通信のジョブボックスに表示する。
【０１０４】
ステップ４１６（Ｓ４１６）において、詳細管理部３２２は、ユーザが詳細表示ボタンを押下したか否かを判断する。
ジョブ管理プログラム３は、詳細表示ボタンが押下された場合にはＳ４２０の処理に進み、これ以外の場合にはＳ４２０の処理に進む。
【０１０５】
ステップ４１８（Ｓ４１８）において、詳細管理部３２２は、ジョブ管理部３２８を制御して、図１９に示したように、同報通信・集信通信を、通信相手ごとの複数のジョブとしてジョブボックスに表示する。
【０１０６】
ステップ４２０（Ｓ４２０）において、詳細管理部３２２は、図２３に示したように、同報通信・集信通信を、別の画面を用いて、通信相手ごとの複数のジョブとしてジョブボックスに表示する。
【０１０７】
ステップ４２２（Ｓ４２２）において、ジョブ管理プログラム３は、別の処理を行う。
【０１０８】
［変形例］
なお、以上説明した実施形態においては、ユーザがタッチパネル入力装置２１２のタッチパネル２１４（図２）に対して操作を行い、ジョブ管理プログラム３がＬＣＤ表示装置２１６に表示を行う場合を例示したが、例えば、ＰＣ１０にコピー複合機２を操作するためのプログラムを実行させ、ＰＣ１０からネットワーク１２を介してコピー複合機２を操作できるようにしてもよい。
【０１０９】
また、同じ画面に優先設定ボタンと、コピー優先ボタンなどとを同時に表示するようにジョブ管理プログラム３を構成してもよい。
また、ページ管理部３２４がページ数を変更する場合を示したが、ページ管理部３２４およびその他の構成部分が他の表示内容を変更するようにジョブ管理プログラム３を構成してもよい。
また、機能ごとに処理の順序を変えた場合（「第２のジョブ処理順序変更」参照）に、ジョブリストにおける表示順序を変更してもよく（「第１のジョブ処理順序変更」参照）、また、ジョブを選択して処理の順序を変えた場合に、優先処理されることを表す図形を付加してもよい。
また、以上の実施形態においてはコピー複合機を例として説明したが、一時に１つずつ順番に蓄積されたジョブを処理する装置について、本発明を適用可能であることはいうまでもない。
【産業上の利用可能性】
【０１１０】
本発明は、ファクシミリ装置における同報通信および集信通信の表示などに利用可能である。
【図面の簡単な説明】
【０１１１】
【図１】本発明にかかる処理順序表示方法およびジョブ処理方法が適用されるネットワークシステムの構成を示す図である。
【図２】図１に示したコピー複合機のハードウェア構成を示す図である。
【図３】図１および図２に示したコピー複合機により実行されるジョブ管理プログラムの構成を示す図である。
【図４】本発明にかかるジョブ処理順序の変更操作に用いられるユーザインターフェース画像を例示する第１の図である。
【図５】本発明にかかるジョブ処理順序の変更操作に用いられるユーザインターフェース画像を例示する第２の図である。
【図６】本発明にかかるジョブ処理順序の変更操作に用いられるユーザインターフェース画像を例示する第３の図である。
【図７】本発明にかかるジョブ処理順序の変更操作に用いられるユーザインターフェース画像を例示する第４の図である。
【図８】図４〜図７に示した本発明にかかるジョブ処理順序変更の動作を示すフローチャートである。
【図９】本発明にかかるジョブ終了表示に用いられるユーザインターフェース画像を例示する第１の図である。
【図１０】本発明にかかるジョブ終了表示に用いられるユーザインターフェース画像を例示する第２の図である。
【図１１】本発明にかかるジョブ終了表示に用いられるユーザインターフェース画像を例示する第３の図である。
【図１２】本発明にかかるジョブ終了表示に用いられるユーザインターフェース画像を例示する第４の図である。
【図１３】図９〜図１２に示したジョブ終了表示の動作を示すフローチャートである。
【図１４】本発明にかかる見えない画面の情報表示に用いられるユーザインターフェース画像を例示する第１の図である。
【図１５】本発明にかかる見えない画面の情報表示に用いられるユーザインターフェース画像を例示する第２の図である。
【図１６】本発明にかかる見えない画面の情報表示に用いられるユーザインターフェース画像を例示する第３の図である。
【図１７】本発明にかかる見えない画面の情報表示に用いられるユーザインターフェース画像を例示する第４の図である。
【図１８】図１４〜図１７に示した見えない画面の情報表示の動作を示すフローチャートである。
【図１９】同報通信・集信通信ジョブの表示例を示す図である。
【図２０】本発明にかかる同報通信・集信通信表示に用いられるユーザインターフェース画像を例示する第１の図である。
【図２１】本発明にかかる同報通信・集信通信表示に用いられるユーザインターフェース画像を例示する第２の図である。
【図２２】本発明にかかる同報通信・集信通信表示に用いられるユーザインターフェース画像を例示する第３の図である。
【図２３】本発明にかかる同報通信・集信通信表示に用いられるユーザインターフェース画像を例示する第４の図である。
【図２４】図１９〜図２３に示した同報通信および集信通信の表示の動作を示すフローチャートである。
【符号の説明】
【０１１２】
１・・・ネットワークシステム
１０，１０−１〜１０−ｎ・・・ＰＣ
１２・・・ネットワーク
２・・・コピー複合機
２００・・・キーボードＩＦ
２０２・・・キーボード
２１０・・・タッチパネルＩＦ
２１２・・・タッチパネル入力装置
２１４・・・タッチパネル
２１６・・・ＬＣＤ表示装置
２２０・・・スキャナＩＦ
２２２・・・スキャナ装置
２３０・・・プリンタＩＦ
２３２・・・プリンタ装置
２４０・・・記録装置ＩＦ
２４２・・・記録装置
２４４・・・記録媒体
２５０・・・ＣＰＵ
２５２・・・メモリ
２６０・・・ネットワークＩＦ
２７０・・・バス
３・・・ジョブ管理プログラム
３０・・・入力解析部
３２・・・ＵＩ管理部
３２０・・・完了／未完了管理部
３２２・・・詳細管理部
３２４・・・ページ管理部
３２６・・・優先管理部
３２８・・・ジョブ管理部
３４・・・ＵＩ画像生成部
３６・・・ジョブ実行管理
３８・・・イベント検出部
４０・・・タイマ部
４２・・・通信制御部
４４・・・同報・集信制御部
４６・・・プリンタ制御部
４８・・・スキャナ制御部
【図１】
2006320029.tif 000003
【図２】
2006320029.tif 000004
【図３】
2006320029.tif 000005
【図４】
2006320029.tif 000006
【図５】
2006320029.tif 000007
【図６】
2006320029.tif 000008
【図７】
2006320029.tif 000009
【図８】
2006320029.tif 000010
【図９】
2006320029.tif 000011
【図１０】
2006320029.tif 000012
【図１１】
2006320029.tif 000013
【図１２】
2006320029.tif 000014
【図１３】
2006320029.tif 000015
【図１４】
2006320029.tif 000016
【図１５】
2006320029.tif 000017
【図１６】
2006320029.tif 000018
【図１７】
2006320029.tif 000019
【図１８】
2006320029.tif 000020
【図１９】
2006320029.tif 000021
【図２０】
2006320029.tif 000022
【図２１】
2006320029.tif 000023
【図２２】
2006320029.tif 000024
【図２３】
2006320029.tif 000025
【図２４】
2006320029.tif 000026